(57)【要約】【課題】  ゴルフバックをスタンドにするゴルフ専用学習装置を提供する。【解決手段】  本体１００と、固定ホルダ１４０とを備える。本体１００は、撮影レンズ１２４および再生用スクリーン１３０を含み、再生用スクリーン１３０が本体１００の上面に設けられる。不透光カバー１２６は、再生用スクリーン１３０の上方および両側に設けられて、強い光を遮る。本体１００は、固定ホルダ１４０によりゴルフバック２００上縁に固定される。固定ホルダ１４０が本体と同軸で接続されているため、本体は、撮影および再生の角度を調整することができる。固定ホルダ１４０は、逆Ｕ字形フレームおよび固定ネジ１４２を含み、固定ネジ１４２は、逆Ｕ字形フレームの一側に設けられて、逆Ｕ字形フレームをゴルフバック２００の上縁へ被せるときに、固定ネジ１４２の一端を、ゴルフバック２００の内壁または外壁へ押し付けて、本体１００をゴルフバック２００上に固定する。【選択図】  図３
2006288919.tif 000002
【特許請求の範囲】
【請求項１】
ゴルフバックをスタンドとして使用するゴルフ専用学習装置であって、
本体と、不透光カバーと、固定ホルダとを少なくとも備えて、
前記本体は、撮影レンズおよび再生用スクリーンを含み、前記再生用スクリーンが前記本体の上面に設けられ、
前記不透光カバーは、前記再生用スクリーンの上方および両側に設けられて、強い光を遮り、
前記固定ホルダは、前記本体と同軸で接続されて、逆Ｕ字形フレームおよび固定ネジを含み、前記固定ネジは、前記逆Ｕ字形フレームの一側に設けられて、前記逆Ｕ字形フレームを前記ゴルフバックの上縁へ被せるときに、前記固定ネジの一端を、前記ゴルフバックの内壁または外壁へ押し付けて、前記本体を前記ゴルフバック上に固定することを特徴とするゴルフ専用学習装置。
【請求項２】
前記再生用スクリーンは液晶スクリーンであることを特徴とする請求項１記載のゴルフ専用学習装置。
【請求項３】
前記再生用スクリーンのサイズは、３．５インチよりも大きいことを特徴とする請求項２記載のゴルフ専用学習装置。
【請求項４】
前記逆Ｕ字形フレームの一側は、ネジ山を具備するホールを有して、前記固定ネジは、前記ホールに対応するネジ山を有して、前記ホールにより前記ゴルフバックの内壁または外壁へ締め付けることができることを特徴とする請求項１記載のゴルフ専用学習装置。
【発明の詳細な説明】
【技術分野】
【０００１】
本発明は、カムコーダに関し、特にゴルフ専用学習カムコーダに関する。
【背景技術】
【０００２】
ゴルフの愛好家は、全て卓越を追求するプレーヤーである。卓越の極致とは、つまりホールインワンのことであるが、当然これを達成することは難しい。ホールインワンを試合で達成することは、タイガーウッズ選手でさえ非常に稀であり、ゴルフを愛好する素人ではなおさら困難である。
【０００３】
ゴルフ愛好家の多くは、その向上心により、多くの時間を練習にかけて自己技術を向上しようと努力している。しかし、コーチの指導がない場合、ゴルフ技術の向上には、ある程度の困難があった。そして、ゴルフ技術の進歩を手助けする器材あるいは装置が求められていた。
【０００４】
特許文献１では、ゴルフスイングを記録する自動録画装置が開示されている。この装置では、移動させるための車輪を有するが、その体積は大きすぎて、個人が携帯するには適当でなかった。
【０００５】
これに鑑み、個人使用に適したゴルフ専用学習装置が早急に求められていた。特に自らスイングの正確性を調整するのに役立ち、他人の協力が得られにくいときでも、効果的かつ簡易に使用でき、ゴルフ技術の進歩を加速する装置が求められていた。
【特許文献１】米国特許第５２１０６０３号公報
【発明の開示】
【発明が解決しようとする課題】
【０００６】
本発明の目的は、即座に自分のスイング動作を見ることができ、他人の協力が得られにくいときでも、効果的かつ簡便に使用することができるゴルフ専用学習カムコーダを提供することにある。
【課題を解決するための手段】
【０００７】
上述の目的を達成するために、本発明は、ゴルフの特定要求に合って、ゴルフバックをスタンドにするゴルフ専用学習装置を提供する。このゴルフ専用学習装置は、本体と、固定ホルダとを備える。本体は、撮影レンズおよび再生用スクリーンを含み、再生用スクリーンが本体の上面に設けられる。そして、強い光を遮るために、不透光カバーが再生用スクリーンの上方および両側に設けられる。本体は、固定ホルダによりゴルフバック上縁に固定される。固定ホルダが本体と同軸で接続されているため、本体は、撮影および再生の角度を調整することができる。固定ホルダは、逆Ｕ字形フレームおよび固定ネジを含む。そして、固定ネジは、逆Ｕ字形フレームの一側に設けられて、逆Ｕ字形フレームをゴルフバックの上縁へ被せるときに、固定ネジの一端をゴルフバックの内壁または外壁へ押し付けて、本体をゴルフバック上に固定する。
【発明の効果】
【０００８】
本発明のゴルフ専用学習装置は、ゴルフの学習者自らが即座にスイング動作を録画して再生することができる。また、本発明の学習装置は、ゴルフバックの上縁に固定して使用することができるため、別にスタンドを用意する必要がなく、使用の際のスタンドの設置および片付けにかかる時間を節約することができる。
【発明を実施するための最良の形態】
【０００９】
個人がゴルフ専用学習装置の携帯および使用が行いやすいように、本実施形態は、ゴルフバック上に設置することができるカムコーダを提供する。特別に設計された固定ホルダにより、本実施形態のゴルフ専用学習カムコーダは、様々な厚さのゴルフバック上に固定され、他人の助けが無くとも簡易に自分だけで撮影および再生を行うことができる。本実施形態のゴルフ専用学習装置は、室内と同様の輝度のＴＦＴ表示装置により好適な効果を達成して屋外パラソルへの設置に適用させたり、低い電力消費で室内におけるのと同様の輝度効果を達成したりすることにより、ゴルフ場へさらに適用させてもよい。
【００１０】
図１は、本発明の好適な一実施形態によるゴルフ専用学習装置を示すブロック図である。カムコーダ装置をゴルフ学習に適用させるためには、市販のデジタルカムコーダが備えていない機能を具備させる必要があった。ゴルフのスイング動作と準備動作との合計時間は一般に長くないため、各録画時間は９０秒以下に限定することができる。スイング動作が完了した後、ユーザはいつでも撮影したばかりのスイング動作を再生することができ、巻き戻しやサーチ機能を用いて録画開始点まで戻して再生を開始する必要がないため、面倒な操作による時間の無駄を避けることができる。
【００１１】
上述の録画機能は、中央処理装置１０８がＣＭＯＳ画像センサ１１２を制御して録画動作を行って、録画された結果を不揮発性メモリ１０６中へ保存する。再生するときは、中央処理装置１０８により不揮発性メモリ１０６中のファイルを読み取って、揮発性メモリ１１０中へ一時保存し、ゴルフ専用学習装置は、完全に録画されたスイング動作をいつでも再生することができる。
【００１２】
再生または録画の機能を実行する場合、再生用スクリーン１３０は、いつでも再生または録画の画像を表示することができる。ゴルフ専用学習装置において、再生用スクリーン１３０は、主にゴルフのスイング動作を即座に再生する機能を提供するために、大きいサイズにする必要があった。
【００１３】
図２は、本発明の一実施形態によるゴルフ専用学習装置の９分割再生機能を示す模式図である。上述したように、再生用スクリーン１３０は、ユーザが快適にはっきりと見られるように、３．５インチ（対角サイズ）よりも大きくする必要がある。また、再生用スクリーン１３０のサイズが、３．５インチよりも大きくなければならないもう一つの理由は、９分割再生機能を実行するためである。図示するように、ゴルフのスイング動作が９つのステップに分解された定格動作により、ユーザは自分のスイング動作の長所および欠点をはっきり見ることができる。
【００１４】
図３は、本発明のもう一つの好適な実施形態によるゴルフ専用学習装置を示す模式図である。本実施形態のゴルフ専用学習装置は、ボールを打つときにいつも近くにあるゴルフバック２００をスタンドにすることにより、ユーザは、スタンドを別に用意したり、近くにいる他人に手伝ってもらったりする必要がない。ゴルフバック２００は、もともと重いゴルフクラブ２０２が満載されているため、非常に安定したスタンドとなる。ゴルフ専用学習装置の本体１００は、固定ホルダ１４０によりゴルフバック２００上に設置することができる。固定ホルダ１４０と本体１００とは、回転軸１２８により接続されているため、本体１００は、再生または録画する角度を調整することができる。また、液晶スクリーンが再生および録画に便利なように本体１００の上面に設置されているため、ユーザは、画像を再生したり録画したりすることができる。さらに、撮影レンズ１２４を菱形本体１００の一角に設置して、スイング動作の撮影に便利にすることもできる。
なお、不透光カバー１２６は、日差しや降雨から再生用スクリーン１３０を保護する。
【００１５】
図４は、本発明のもう一つの好適な実施形態によるゴルフ専用学習装置の固定ホルダ部分を示す拡大図である。固定ホルダ１４０を様々な厚さのゴルフバック２００上に固定することができるように、本実施形態の固定ホルダ１４０は、全てのゴルフバックの厚さよりも幅が大きい逆Ｕ字形フレーム１４４を含む。逆Ｕ字形フレーム１４４は、ゴルフバック２００の上縁へ被せて、固定ネジ１４２によりゴルフバックの内壁または外壁へ締め付けることができる。固定ネジ１４２は、ネジ山を有するロッド軸１４９を備える。逆Ｕ字形フレーム１４４の一辺には、固定ネジ１４２を螺着するためのネジ山を具備するホール１４８が設けられている。ゴルフバック側のロッド軸１４９の一端には、サポート板１４６が設けられ、固定ネジ１４２がネジ山を具備するホール１４８に継続して螺着されると、サポート板１４６が、ゴルフバックの内壁または外壁に押し付けられて、ゴルフ専用学習装置の本体１００をゴルフバック上へ安定して起立させることができる。
【００１６】
本発明のゴルフ専用学習装置は、ゴルフの学習者がスイング動作を即座に録画および再生することができる。また、本発明の学習装置は、使用するときにゴルフバックの上縁に固定することにより、スタンドを別に用意する必要がなく、使用するときにスタンドを設置したり片付けたりする時間を節約することができる。
【００１７】
本発明では好適な実施形態を前述の通り開示したが、これらは決して本発明を限定するものではなく、当該技術に熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００１８】
【図１】本発明の好適な一実施形態によるゴルフ専用学習装置を示すブロック図である。
【図２】本発明の好適な一実施形態によるゴルフ専用学習装置の９分割再生機能を示す模式図である。
【図３】本発明のもう一つの好適な実施形態によるゴルフ専用学習装置の構造を示す模式図である。
【図４】本発明のもう一つの好適な実施形態によるゴルフ専用学習装置の固定ホルダを示す拡大図である。
【符号の説明】
【００１９】
１０２  入出力スイッチ
１０６  不揮発性メモリ
１０８  中央処理装置
１１０  揮発性メモリ
１１２  ＣＭＯＳ画像センサ
１００  本体
１２４  撮影レンズ
１２６  不透光カバー
１２８  回転軸
１３０  再生用スクリーン
１４０  固定ホルダ
１４２  固定ネジ
１４４  逆Ｕ字形フレーム
１４６  サポート板
１４８  ネジ山を具備するホール
１４９  ロッド軸
２００  ゴルフバック
２０２  ゴルフクラブ
【図１】
2006288919.tif 000003
【図２】
2006288919.tif 000004
【図３】
2006288919.tif 000005
【図４】
2006288919.tif 000006